【事件の表示】
　特願２００９−１９１８０３「光ビームスプリッタ」拒絶査定不服審判事件〔平成２２年　３月　４日出願公開、特開２０１０−　４９２５５〕について、次のとおり審決する。
【結　論】
　本件審判の請求は、成り立たない。
【理　由】
１　手続の経緯・本願発明
　本願は、平成２１年８月２１日（パリ条約による優先権主張２００８年８月２５日、アメリカ合衆国）の出願であって、平成２５年９月２７日に手続補正がなされたところ、平成２６年３月２８日付けで拒絶査定がなされ、これに対し、同年６月６日に拒絶査定不服審判請求がなされると同時に手続補正がなされたものである。
　
　そして、本願の請求項に係る発明は、平成２６年６月６日付け手続補正後の特許請求の範囲の記載からみて、その特許請求の範囲の請求項１〜１０に記載された事項によって特定されるものと認められるところ、その請求項１に係る発明は次のものである。
　
「光ビームスプリッタであって、
　入力光ビームを受け取る入力導波路と、
　分離点において前記入力光ビームを２以上の光ビームに分岐するように構成された、前記分離点において前記入力導波路に結合した、ジオメトリが直線状、凹形状又は屈曲形状である２以上のブランチアームと、
　各々が前記２以上の光ビームの１つを所定の出力ピッチにファンアウトするように構成された、前記ブランチアームの１つに同一接線上で光学的に結合した２以上のファンアウトアームと、
　各々が前記２以上の光ビームの１つを前記光ビームスプリッタから送出するように構成された、前記ファンアウトアームの１つに結合した２以上の出力導波路とを有する光ビームスプリッタ。」（以下「本願発明」という。）
　
　
２　引用刊行物の記載事項
　原査定の拒絶の理由に引用された、本願の優先日前に頒布された刊行物である実願昭６２−２００９０１号（実開平１−１０５９０４号）のマイクロフィルム（以下「引用刊行物」という。）には、図とともに下記の事項が記載されている。
　
　ア　「２．実用新案登録請求の範囲
（１）導波路基板の一端に入射口を有し他端に複数の出射口を有する分岐導波路を該基板中に設けた導波路形光分岐器において、分岐導波路の入射口につながる部分が微少な開き角を有して複数の直線状導波路部分に分岐し、この分岐した各々の導波路部分が夫々対応する出射口に複数の湾曲中心を有する曲線状導波路で接続されることを特徴とする導波路形光分岐器。」（明細書１頁４〜１２行）
　
　イ　「（イ）産業上の利用分野
　本考案は光ファイバーを用いた通信等に用いられる導波路形の光分岐器に関する。」（同１頁１４〜１６行）
　
　ウ　「（ヘ）実施例
　第１図は本考案の一実施例を示す構成図である。本図において１はガラス基板、２は分岐導波路である。導波路２は入射口３から直線的に分岐点４まで伸びて、ここで２本の直線状導波路５，６に分岐し、導波路５は点７において円弧状導波路８に滑らかにつながり、さらに点９において円弧状導波路１０につながり、出射口１１に至る。円弧状導波路１０は出射口１１においてガラス基板１の端面と垂直である。導波路のパターンは対称であり、直線状導波路６も同様に出射口１２に至る。分岐点４における分岐開き角θは１度である。このように分岐部は理想的な光分岐を行うように直線状導波路で構成されている。円弧状導波路８，１０の中心点Ｃ１，Ｃ２は導波路を挟んで左右に位置しており、円弧状導波路８においては分岐点から離れるに従い開き角が大きくなり、円弧状導波路１０では逆に開き角が小さくなる。…」（同３頁５行〜４頁２行）
　
　エ　「（ト）効果
　本考案によると分岐開き角が小さくても分岐器の寸法を短くでき、光損失の少ない小形の分岐器が実現する。」（同４頁６〜９行）
　
　オ　第１図は、次のものである。
　
　
　カ　上記ア〜ウに照らしてオの第１図を見ると、以下の事項が見て取れる。
　（ア）「導波路基板」は、「ガラス基板１」に「分岐導波路２」が形成されたものであること。
　（イ）「（円弧状導波路１０の）中心点Ｃ２」は「ガラス基板１」内にあること。
　
　上記ア〜カによれば、引用刊行物には、次の発明（以下「引用発明」という。）が記載されていると認められる。
　
「導波路基板の一端に入射口を有し他端に複数の出射口を有する分岐導波路を該基板中に設けた導波路形光分岐器において、分岐導波路の入射口につながる部分が微少な開き角を有して複数の直線状導波路部分に分岐し、この分岐した各々の導波路部分が夫々対応する出射口に複数の湾曲中心を有する曲線状導波路で接続され、
　一実施例において、導波路基板は、ガラス基板１に分岐導波路２が形成されたものであり、分岐導波路２は入射口３から直線的に分岐点４まで伸びて、ここで２本の直線状導波路５，６に分岐し、導波路５は点７において円弧状導波路８に滑らかにつながり、さらに点９において円弧状導波路１０につながり、出射口１１に至り、円弧状導波路１０は出射口１１においてガラス基板１の端面と垂直であり、導波路のパターンは対称であり、直線状導波路６も同様に出射口１２に至り、分岐点４における分岐開き角θは１度であり、分岐部は理想的な光分岐を行うように直線状導波路で構成されており、円弧状導波路８，１０の中心点Ｃ１，Ｃ２は導波路を挟んで左右に位置しており、円弧状導波路１０の中心点Ｃ２はガラス基板１内にあり、円弧状導波路８においては分岐点から離れるに従い開き角が大きくなり、円弧状導波路１０では逆に開き角が小さくなり、
　分岐開き角が小さくても分岐器の寸法を短くでき、光損失の少ない小形の分岐器が実現する、導波路形光分岐器。」
　
　
３　対比
　本願発明と引用発明を対比する。
　
　ア　引用発明の「分岐導波路２」のうち、「入射口３」から「分岐点４」まで直線的に伸びる部分は、本願発明の「（入力光ビームを受け取る）入力導波路」に相当する。
　
　イ　引用発明の「分岐点４」は、本願発明の「分離点」に相当する。
　
　ウ　引用発明の「分岐導波路２」のうち、「分岐点４」において分岐する「２本の直線状導波路５，６」は、本願発明の「（分離点において前記入力光ビームを２以上の光ビームに分岐するように構成された、前記分離点において前記入力導波路に結合した、ジオメトリが直線状、凹形状又は屈曲形状である２以上の）ブランチアーム」と、「（分離点において前記入力光ビームを２つの光ビームに分岐するように構成された、前記分離点において前記入力導波路に結合した、ジオメトリが直線状である２つの）ブランチアーム」である点で一致する。
　
　エ　引用発明は、「導波路５」が「点７において円弧状導波路８に滑らかにつながり、さらに点９において円弧状導波路１０につながり、出射口１１に至り」、「円弧状導波路１０」が「出射口１１においてガラス基板１の端面と垂直であり」、「導波路のパターン」が「対称であり」、「直線状導波路６も同様に出射口１２に至」るものであって、「（出射口１１，１２に至るそれぞれの）『円弧状導波路８』及び『円弧状導波路１０』」のうち、「出射口１１，１２」近傍の「ガラス基板１の端面と垂直」となっている部分を除く部分は、２つの光ビームの１つを所定の出力ピッチに広げるように構成された、前記「２本の直線状導波路５，６」の１つに同一接線上で光学的に結合されたものであるといえ、また、前記「（出射口１１，１２に至るそれぞれの）『円弧状導波路８』及び『円弧状導波路１０』」のうち、「出射口１１，１２」近傍の「ガラス基板１の端面と垂直」となっている部分は、各々が２つの光ビームの１つを導波路形光分岐器から送出するように構成され、「『円弧状導波路８』及び『円弧状導波路１０』」のうち、「出射口１１，１２」近傍の「ガラス基板１の端面と垂直」となっている部分を除く部分の１つに結合した２つの出力導波路、ということができるから、
　（ア）引用発明の「（出射口１１，１２に至るそれぞれの）『円弧状導波路８』及び『円弧状導波路１０』」のうち、「出射口１１，１２」近傍の「ガラス基板１の端面と垂直」となっている部分を除く部分は、本願発明の「（各々が前記２以上の光ビームの１つを所定の出力ピッチにファンアウトするように構成された、前記ブランチアームの１つに同一接線上で光学的に結合した２以上の）ファンアウトアーム」と、「（各々が前記２つの光ビームの１つを所定の出力ピッチにファンアウトするように構成された、前記ブランチアームの１つに同一接線上で光学的に結合した２つの）ファンアウトアーム」である点で一致し、
　（イ）引用発明の「（出射口１１，１２に至るそれぞれの）『円弧状導波路８』及び『円弧状導波路１０』」のうち、「出射口１１，１２」近傍の「ガラス基板１の端面と垂直」となっている部分は、本願発明の「各々が前記２以上の光ビームの１つを前記光ビームスプリッタから送出するように構成された、前記ファンアウトアームの１つに結合した２以上の出力導波路」と、「各々が前記２つの光ビームの１つを前記光ビームスプリッタから送出するように構成された、前記ファンアウトアームの１つに結合した２つの出力導波路」である点で一致する。
　
　オ　引用発明の「導波路形光分岐器」は、本願発明の「光ビームスプリッタ」に相当する。
　
　よって、本願発明と引用発明とは、
「光ビームスプリッタであって、
　入力光ビームを受け取る入力導波路と、
　分離点において前記入力光ビームを２以上の光ビームに分岐するように構成された、前記分離点において前記入力導波路に結合した、ジオメトリが直線状、凹形状又は屈曲形状である２以上のブランチアームと、
　各々が前記２以上の光ビームの１つを所定の出力ピッチにファンアウトするように構成された、前記ブランチアームの１つに同一接線上で光学的に結合した２以上のファンアウトアームと、
　各々が前記２以上の光ビームの１つを前記光ビームスプリッタから送出するように構成された、前記ファンアウトアームの１つに結合した２以上の出力導波路とを有する光ビームスプリッタ。」
である点で一致し、両発明の間には差異はないから、本願発明は引用刊行物に記載された発明である。
　
４　むすび
　以上３のとおり、本願発明は引用刊行物に記載された発明であるから、特許法第２９条第１項第３号に該当し、特許を受けることができない。
　
　よって、結論のとおり審決する。